【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
図柄画像とその背景画像とが演出表示領域にて表示される表示装置と、
前記表示装置の演出表示領域にて図柄画像と背景画像とをそれぞれ可変表示させた後、その表示結果を導出表示させる制御を行う画像制御手段と
を有し、前記演出表示領域における表示結果として前記図柄画像により予め定められた特定の表示態様が現れたとき、遊技者にとっての有利遊技が実行されうる遊技機であって、
前記画像制御手段は、
前記演出表示領域における表示結果が導出表示されるまでの間に、当該演出表示領域において第１の演出パターンを表示させる制御と、この第１の演出パターンの表示内容に対して逆の方向に遡る表示内容とされた逆行演出パターンを表示させることにより前記第１の演出パターンとは異なる第２の演出パターンを表示させる制御とをそれぞれ実行可能な順逆演出制御手段を含み、
該順逆演出制御手段は、前記第１の演出パターンの表示により表示結果を導出する制御と、前記第１の演出パターンを表示した後に、前記第２の演出パターンの表示により表示結果を導出する制御とをそれぞれ行うことが可能であり、
前記逆行演出パターンは、前記第１の演出パターンの表示内容が第２の表示段階にまで順行して表示される過程で既に表示された第１の表示段階に達するまで、前記演出表示領域の全領域にわたって前記第２表示段階から表示されている前記図柄画像とその背景画像とにかかる表示内容について遡らせる演出パターンであり、
前記第１の演出パターンを表示した後に前記第２の演出パターンの表示により表示結果が導出された方が、前記第１の演出パターンの表示により表示結果が導出されるよりも、遊技者にとっての有利遊技が実行される可能性が高くなっており、
前記第２の演出パターンでは、前記図柄画像が停止されずに未だ可変表示されている状態にあるときに、前記背景画像によって、前記予め定められた特定の表示態様が現れる旨、若しくは前記予め定められた特定の表示態様が現れない旨の表示結果が先行導出されうる
ことを特徴とする遊技機。
【請求項２】
前記表示装置は、液晶表示装置として設けられてなる
請求項１に記載の遊技機。
【請求項３】
前記図柄画像は、３つの図柄により構成されるものである
請求項１または２に記載の遊技機。
【手続補正２】
【補正対象書類名】明細書
【補正対象項目名】０００４
【補正方法】変更
【補正の内容】
【０００４】
上記課題を解決するため請求項１に記載の遊技機は、請求項１に記載した通りである。
「手段１」
判定用図柄を表示する第１の表示領域と、特典の成立に関与しない図柄を表示する第２の表示領域を備えた遊技機であって、前記第１の表示領域に表示される判定用図柄が変動を開始し特典が成立するか否かが確定するまでの間に、前記第２の表示領域に表示される特典の成立に関与しない図柄を逆転再生表示させることを特徴とする。
手段１に記載の遊技機によれば、判定用図柄が変動を開始し特典が成立するか否かが確定するまでの間において、一定の方向に変動表示されていた特典の成立に関与しない図柄が、ある時点から逆方向に変動表示される。このため、遊技者にとっては、特典の成立に関与しない図柄の変動が予測しにくく飽きがこないものとなる。ここで、「判定用図柄」とは、特別遊技状態、確立変動、時間短縮等の遊技者にとって有利な遊戯状態となる特典の発生の判定を行う図柄をいう。また、「特典の成立に関与しない図柄」とは、遊技状態にあわせて表示領域に表示される判定用図柄以外の図柄全てをいい、例えば、英数字、漢字、仮名等の文字、記号、絵柄、図形、静止画、動画等の画像などが含まれる。また、「第１の表示領域」は、判定用図柄が変動表示される表示器において形成され、一つの表示器を使用して第1の表示領域を形成しても良く又は複数の表示器を使用して第1の表示領域を形成しても良い。同様に「第２の表示領域」は、特典の成立に関与しない図柄が変動表示される表示器において形成され、その数は問わない。
【手続補正３】
【補正対象書類名】明細書
【補正対象項目名】０００６
【補正方法】変更
【補正の内容】
【０００６】
手段１に記載した遊技機においては、遊技者の関心は特典の成立に関与しない図柄の変動のみならず判定用図柄の変動にも大いなる関心を抱いている。したがって、特典の成立に関与しない図柄の変動と連動して判定用図柄の変動を行えばより遊技者の遊技に対する面白みを増すことができる。
「手段２」
手段１に記載した遊技機であって、前記第２の表示領域に表示される特典の成立に関与しない図柄の逆転再生表示に連動して、前記第１の表示領域に表示される判定用図柄を逆転再生表示させることを特徴とする。
手段２に記載の遊技機においては、第２の表示領域に表示される特典の成立に関与しない図柄の逆転再生表示に併せて第１の表示領域に表示される判定用図柄をも逆転再生表示されるため、変動パターンが多様化し遊技者にとって変動パターンが予測しづらく飽きがこないものとなる。
【手続補正４】
【補正対象書類名】明細書
【補正対象項目名】０００７
【補正方法】変更
【補正の内容】
【０００７】
このように判定用図柄を逆転再生表示する場合において、既に停止している判定用図柄が有る場合には、その判定用図柄を逆転再生表示するようにしても良い。停止している判定用図柄を逆転再生表示すると、一旦確定したと思われた判定用図柄が再度逆方向に変動するため、遊技者にとっては再度特典の成立のための抽選のやり直しの機会が与えられたような印象を与えることができる。
「手段３」
手段２に記載した遊技機であって、前記第１の表示領域に表示される判定用図柄の変動が停止した後に、前記停止している判定用図柄の少なくとも一つを逆転再生表示するようにしたことを特徴とする。
手段３に記載の遊技機によれば、停止している判定用図柄の少なくとも一つが変動を開始し、しかもその変動が逆方向に変動するため、遊技者にとっては、一旦停止し図柄が確定した判定用図柄について、再度の抽選が行われているような印象を与えることができる。例えば、３つの判定用図柄で特典の発生の判定を行う場合に、最初の図柄が「６」で停止し、次の図柄が「５」で停止したような場合、従来の遊技機では、この時点で特典の発生の可能性がなくなり、遊技者は判定用図柄の変動について特典が発生するかもしれないという期待感を抱けなかった。しかしながら、このような場合に停止した判定用図柄（「５」及び／又は「６」）が再度変動することにより「特典の発生」の可能性が発生し、また、その変動方向が逆方向であれば、あたかも再度「特典の発生」抽選のやり直しが行われているような感じを遊技者に与えることができる。このような「特典の発生」となる抽選のやり直しを効果的に演出するには、例えば３つの判定用図柄の組み合わせにより抽選を行う場合において、２つの判定用図柄が特典の発生となる図柄の組み合わせで停止し、残りの一つの判定用図柄が変動している状態（いわゆるリーチ状態）を形成し、最後の判定用図柄の変動が停止した後で行うことが好ましい。すなわち、リーチ状態においては、遊技者は特典が発生するかもしれないという期待感を抱いているのが一般的である。したがって、リーチ状態で最後の判定用図柄が停止し「はずれ」と思った後に、再度判定用図柄が特典の成立に関与しない図柄と共に逆転再生表示されると、より強く特典が発生するかもしれないという期待感と、再度特典の発生の抽選のやり直しが行われているような印象を遊技者に与えることができる。
【手続補正５】
【補正対象書類名】明細書
【補正対象項目名】０００８
【補正方法】変更
【補正の内容】
【０００８】
また、上述した判定用図柄と特典の成立に関与しない図柄は、一つの表示装置の画面上に表示されると特に有効である。
「手段４」
判定用図柄と、特典の成立に関与しない図柄とを表示する表示器を備えた遊技機であって、前記判定用図柄が変動を開始し特典が成立するか否かが確定するまでの間に、前記特典の成立に関与しない図柄を逆転再生表示させることを特徴とする。
手段４に記載の遊技機によれば、同一の表示器に判定用図柄と特典の成立に関与しない図柄が表示されるので、遊技者は判定用図柄と特典の成立に関与しない図柄を同時に見ることができ本発明を効果的に実施することができる。
【手続補正６】
【補正対象書類名】明細書
【補正対象項目名】０００９
【補正方法】変更
【補正の内容】
【０００９】
なお、上述した判定用図柄と特典の成立に関与しない図柄は、特定の入球口への入球を条件に変動を開始することとしても良い。
「手段５」
特定口への入球を検出する球検出手段と、その球検出手段からの検出信号によって図柄を変動表示させる図柄表示手段とを有し、図柄表示手段に表示される図柄の停止態様に応じて遊技者に有利な遊技条件となる特典を付与する遊技機において、前記図柄表示手段は、判定用図柄を表示する第１の表示領域と、特典の成立に関与しない図柄を表示する第２の表示領域を備え、前記第１の表示領域に表示される判定用図柄が変動を開始し特典が発生するか否かが確定するまでの間に、前記第２の表示領域に表示される特典の成立に関与しない図柄を逆転再生表示させることを特徴とする。
手段５に記載した遊技機によれば、特定の入球口への入球を条件に、判定用図柄と特典の成立に関与しない図柄の変動を開始することができる。なお、図柄表示手段としては、単一の表示器を用いて図柄を表示しても良いし、複数の表示器を用いて図柄を表示するようにしても良いことは既に述べた発明と同様である。